【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
仮想空間に配置される３次元モデルと、当該仮想空間における部屋の位置を示す部屋情報とを記憶する記憶手段と、
前記記憶手段に記憶された部屋情報の選択を受け付ける部屋情報選択受付手段と、
ユーザの位置及び方向を示す位置情報を取得する位置情報取得手段と、
前記位置情報取得手段で取得したユーザの位置情報と前記部屋情報選択受付手段で受け付けた部屋情報とを用いて、前記ユーザの位置及び方向に応じた視点の当該仮想空間を示す画像である仮想空間画像を生成する仮想空間画像生成手段と、
前記仮想空間画像生成手段で生成した仮想空間画像をユーザに提示する画像提示手段と
を備えることを特徴とする情報処理システム。
【請求項２】
前記情報処理システムは、
前記仮想空間の所定の位置に光源を設定する光源設定手段と、
前記光源設定手段で設定された光源の位置に応じて、前記３次元モデルに陰影を設定する陰影設定手段とを備え、
前記仮想空間画像生成手段は、前記位置情報取得手段で取得したユーザの位置及び方向に応じた視点で、前記陰影設定手段で陰影を設定した３次元モデルを含む仮想空間を撮像することにより、当該仮想空間を示す画像である仮想空間画像を生成することを特徴とする請求項１に記載の情報処理システム。
【請求項３】
前記光源設定手段は、ユーザから指定された日時に応じた位置に光源を設定することを特徴とする請求項２に記載の情報処理システム。
【請求項４】
前記情報処理システムは、
前記仮想空間画像生成手段は、現実空間を撮像することで得られる現実空間画像に所定の情報が含まれる場合に、前記位置情報取得手段で取得したユーザの位置及び方向に応じた視点で前記３次元モデルを含む仮想空間を撮像することにより、当該仮想空間を示す画像である仮想空間画像を生成することを特徴とする請求項１乃至３のいずれか１項に記載の情報処理システム。
【請求項５】
前記情報処理システムは、
現実空間を撮像することで現実空間画像を生成し、前記仮想空間画像を表示する頭部装着ディスプレイを含み、
前記仮想空間画像を提示する複数の頭部装着ディスプレイをグルーピングするグループ設定手段を更に備え、
前記画像提示手段は、前記現実空間画像に所定の情報が含まれる場合に、当該現実空間画像を撮像した頭部装着ディスプレイと、当該頭部装着ディスプレイと同じグループの頭部装着ディスプレイを通じて、前記仮想空間画像生成手段で生成した仮想空間画像をユーザに提示することを特徴とする請求項１乃至４のいずれか１項に記載の情報処理システム。
【請求項６】
前記部屋情報選択受付手段は、前記記憶手段に記憶された部屋情報の選択をユーザごとに受け付け、
前記仮想空間画像生成手段は、前記位置情報取得手段で取得したユーザの位置情報と前記部屋情報選択受付手段で受け付けた部屋情報のうち、当該ユーザから選択を受け付けた部屋情報とを用いて、前記ユーザの位置及び方向に応じた視点の当該仮想空間を示す画像である仮想空間画像を生成することを特徴とする請求項１乃至５のいずれか１項に記載の情報処理システム。
【請求項７】
前記位置情報取得手段は、ユーザが装着する頭部装着ディスプレイの現実空間における位置及び方向に応じて、前記位置情報を取得することを特徴とする請求項１乃至６のいずれか１項に記載の情報処理システム。
【請求項８】
前記部屋情報は、前記仮想空間における高さを含むことを特徴とする請求項１乃至７のいずれか１項に記載の情報処理システム。
【請求項９】
前記部屋情報は、前記部屋の種別を含むことを特徴とする請求項１乃至８のいずれか１項に記載の情報処理システム。
【請求項１０】
仮想空間に配置される３次元モデルと、当該仮想空間における部屋の位置を示す部屋情報とを記憶する記憶手段を備える情報処理システムの制御方法であって、
前記情報処理システムの部屋情報選択受付手段が、前記記憶手段に記憶された部屋情報の選択を受け付ける部屋情報選択受付ステップと、
前記情報処理システムの位置情報取得手段が、ユーザの位置及び方向を示す位置情報を取得する位置情報取得ステップと、
前記情報処理システムの仮想空間画像生成手段が、前記位置情報取得ステップで取得したユーザの位置情報と前記部屋情報選択受付ステップで受け付けた部屋情報とを用いて、前記ユーザの位置及び方向に応じた視点の当該仮想空間を示す画像である仮想空間画像を生成する仮想空間画像生成ステップと、
前記情報処理システムの画像提示手段が、前記仮想空間画像生成ステップで生成した仮想空間画像をユーザに提示する画像提示ステップと
を備えることを特徴とする情報処理システムの制御方法。
【請求項１１】
仮想空間に配置される３次元モデルと、当該仮想空間における部屋の位置を示す部屋情報とを記憶する記憶手段を備える情報処理システムの制御方法を実行可能なプログラムであって、
前記情報処理システムを、
前記記憶手段に記憶された部屋情報の選択を受け付ける部屋情報選択受付手段と、
ユーザの位置及び方向を示す位置情報を取得する位置情報取得手段と、
前記位置情報取得手段で取得したユーザの位置情報と前記部屋情報選択受付手段で受け付けた部屋情報とを用いて、前記ユーザの位置及び方向に応じた視点の当該仮想空間を示す画像である仮想空間画像を生成する仮想空間画像生成手段と、
前記仮想空間画像生成手段で生成した仮想空間画像をユーザに提示する画像提示手段
として機能させることを特徴とするプログラム。
【請求項１２】
仮想空間に配置される３次元モデルと、当該仮想空間における部屋の位置を示す部屋情報とを記憶する記憶手段と、
前記記憶手段に記憶された部屋情報の選択を受け付ける部屋情報選択受付手段と、
ユーザの位置及び方向を示す位置情報を取得する位置情報取得手段と、
前記位置情報取得手段で取得したユーザの位置情報と前記部屋情報選択受付手段で受け付けた部屋情報とを用いて、前記ユーザの位置及び方向に応じた視点の当該仮想空間を示す画像である仮想空間画像を生成する仮想空間画像生成手段と、
前記仮想空間画像生成手段で生成した仮想空間画像をユーザに提示する画像提示手段と
を備えることを特徴とする情報処理装置。
【請求項１３】
仮想空間に配置される３次元モデルと、当該仮想空間における部屋の位置を示す部屋情報とを記憶する記憶手段を備える情報処理装置の制御方法であって、
前記情報処理装置の部屋情報選択受付手段が、前記記憶手段に記憶された部屋情報の選択を受け付ける部屋情報選択受付ステップと、
前記情報処理装置の位置情報取得手段が、ユーザの位置及び方向を示す位置情報を取得する位置情報取得ステップと、
前記情報処理装置の仮想空間画像生成手段が、前記位置情報取得ステップで取得したユーザの位置情報と前記部屋情報選択受付ステップで受け付けた部屋情報とを用いて、前記ユーザの位置及び方向に応じた視点の当該仮想空間を示す画像である仮想空間画像を生成する仮想空間画像生成ステップと、
前記情報処理装置の画像提示手段が、前記仮想空間画像生成ステップで生成した仮想空間画像をユーザに提示する画像提示ステップと
を備えることを特徴とする情報処理装置の制御方法。
【請求項１４】
仮想空間に配置される３次元モデルと、当該仮想空間における部屋の位置を示す部屋情報とを記憶する記憶手段を備える情報処理装置の制御方法を実行可能なプログラムであって、
前記情報処理装置を、
前記記憶手段に記憶された部屋情報の選択を受け付ける部屋情報選択受付手段と、
ユーザの位置及び方向を示す位置情報を取得する位置情報取得手段と、
前記位置情報取得手段で取得したユーザの位置情報と前記部屋情報選択受付手段で受け付けた部屋情報とを用いて、前記ユーザの位置及び方向に応じた視点の当該仮想空間を示す画像である仮想空間画像を生成する仮想空間画像生成手段と、
前記仮想空間画像生成手段で生成した仮想空間画像をユーザに提示する画像提示手段
として機能させることを特徴とするプログラム。
【手続補正２】
【補正対象書類名】明細書
【補正対象項目名】発明の名称
【補正方法】変更
【補正の内容】
【発明の名称】情報処理システム、その制御方法、及びプログラム、並びに情報処理装置、その制御方法、及びプログラム
【手続補正３】
【補正対象書類名】明細書
【補正対象項目名】０００１
【補正方法】変更
【補正の内容】
【０００１】
本発明は、ユーザの位置及び方向に応じた視点で、選択された部屋の位置の仮想空間画像をユーザに提示することの可能な情報処理システム、その制御方法、及びプログラム、並びに情報処理装置、その制御方法、及びプログラムに関する。
【手続補正４】
【補正対象書類名】明細書
【補正対象項目名】００１０
【補正方法】変更
【補正の内容】
【００１０】
本発明は、ユーザの位置及び方向に応じた視点で、選択された部屋の位置の仮想空間画像をユーザに提示することの可能な仕組みを提供すること目的とする。
【手続補正５】
【補正対象書類名】明細書
【補正対象項目名】００１１
【補正方法】変更
【補正の内容】
【００１１】
上記の目的を達成するために、本発明の情報処理システムは、仮想空間に配置される３次元モデルと、当該仮想空間における部屋の位置を示す部屋情報とを記憶する記憶手段と、前記記憶手段に記憶された部屋情報の選択を受け付ける部屋情報選択受付手段と、ユーザの位置及び方向を示す位置情報を取得する位置情報取得手段と、前記位置情報取得手段で取得したユーザの位置情報と前記部屋情報選択受付手段で受け付けた部屋情報とを用いて、前記ユーザの位置及び方向に応じた視点の当該仮想空間を示す画像である仮想空間画像を生成する仮想空間画像生成手段と、前記仮想空間画像生成手段で生成した仮想空間画像をユーザに提示する画像提示手段とを備えることを特徴とする。
【手続補正６】
【補正対象書類名】明細書
【補正対象項目名】００１２
【補正方法】変更
【補正の内容】
【００１２】
本発明によれば、ユーザの位置及び方向に応じた視点で、選択された部屋の位置の仮想空間画像をユーザに提示することの可能な効果を奏する。